(57)【要約】【課題】ピックアップに影響を及ぼさないディスクアダプタを提供すること。【解決手段】本発明のディスクアダプタ１０は、スロットイン方式のディスク装置２０に用い、ディスクＡを配置する空間１１を形成するアダプタ本体と１２、ディスクＡを保持するディスク保持部１３と、ディスクＡを挟持する方向にディスク保持部１３を付勢する弾性力付与部１４と、ディスクＡを離脱する方向にディスク保持部１３を変位させる変位部１５とを備え、変位部１５が、ディスク装置２０に設けたレバーによって動作することを特徴とする。【選択図】        図１
2008047182.tif 000002
【特許請求の範囲】
【請求項１】
スロットイン方式のディスク装置に用いるディスクアダプタであって、ディスクを配置する空間を形成するアダプタ本体と、前記ディスクを保持するディスク保持部と、前記ディスクを挟持する方向に前記ディスク保持部を付勢する弾性力付与部と、前記ディスクを離脱する方向に前記ディスク保持部を変位させる変位部とを備え、前記変位部が、前記ディスク装置に設けたレバーによって動作することを特徴とするディスクアダプタ。
【請求項２】
前記変位部が前記ディスク装置内の所定の位置に到達したときに、前記レバーが前記変位部に作用することを特徴とする請求項１に記載のディスクアダプタ。
【請求項３】
前記弾性力付与部としてばね材を用い、前記ばね材によって前記ディスク保持部を、前記ディスクの中心方向に付勢したことを特徴とする請求項１に記載のディスクアダプタ。
【請求項４】
前記ディスク装置に設けたレバーが当接する面を、前記アダプタ本体の外周部に形成したことを特徴とする請求項１に記載のディスクアダプタ。
【請求項５】
前記アダプタ本体としてリング部材を用い、前記ディスク保持部を、前記リング部材に固定される第１のディスク保持部と、前記リング部材に対して移動可能に設けられる第２のディスク保持部で構成し、前記レバーとして前記ディスク装置のフロント側に設けた第１のレバーと前記ディスク装置のリア側に設けた第２のレバーを備え、前記変位部を、前記第１のレバーに対応する第１の変位部と前記第２のレバーに対応する第２の変位部で構成し、前記第１の変位部を前記第１のディスク保持部に設け、前記第２の変位部を前記第２のディスク保持部に設け、前記第１のディスク保持部及び前記第２のディスク保持部には、前記ディスクの一方の面を支持する表面突起と前記ディスクの他方の面を支持する裏面突起とをそれぞれ設けたことを特徴とする請求項１に記載のディスクアダプタ。
【請求項６】
前記リング部材を金属部材にて形成し、前記ディスク保持部を樹脂部材にて形成し、前記第１のディスク保持部と前記第２のディスク保持部とはヒンジ部によって一体に成型されたことを特徴とする請求項５に記載のディスクアダプタ。
【請求項７】
前記第１のディスク保持部及び前記第２のディスク保持部には、前記ディスクの外周面と当接する位置規制突起を設けたことを特徴とする請求項６に記載のディスクアダプタ。
【請求項８】
請求項１から請求項７に記載のディスクアダプタを用いるディスク装置であって、前記変位部を動作させるレバーを設けたことを特徴とするディスク装置。
【発明の詳細な説明】
【技術分野】
【０００１】
本発明は、ＣＤやＤＶＤなどのディスク、及びこのディスクを保持するディスクアダプタ及びこのディスクアダプタを用いるディスク装置に関する。
【背景技術】
【０００２】
従来のディスクアダプタを図１１から図１３に示す（特許文献１）。
図１１は同ディスクアダプタの平面図、図１２は同ディスクアダプタの要部拡大平面図、図１３は図１２のＸ−Ｘ線断面図である。
図１１に示すように、従来のディスクアダプタは、リング状に形成されたアダプタ本体１０１の内周に、３つのヒンジ部１１０が等間隔に形成され、それぞれのヒンジ部１１０には、一つの押圧部１２０が形成されている。なお、押圧部１２０には、ディスク１０２の一方の面を支持する表突起１３０が形成されている。また、これらヒンジ部１１０の間には、ディスク１０２の他方の面を支持する裏突起１４０が形成されている。
押圧部１２０は、図１２及び図１３に示すように、ディスク１０２の外周に当接し、ヒンジ部１１０による弾性力によってディスク１０２を中心方向に押圧している。
【特許文献１】意匠登録第８７３１６９号公報
【発明の開示】
【発明が解決しようとする課題】
【０００３】
しかし、上記従来のディスクアダプタには、一方の面には表突起１３０が、他方の面には裏突起１４０が形成されており、これら表突起１３０及び裏突起１４０は、ディスク１０２の厚さよりも突出している。
一方、光ディスク装置には、一般的に、光学レンズを半径及び、フォーカス方向に可動するアクチュエータコイルが構成されており、ディスク及びピックアップの光学設計により定められた位置でフォーカシング制御が行われ、光学レンズはディスクのデータ面に略一定距離に制御される。
ところが、ディスク及びピックアップの光学設計の組み合わせによっては、フォーカシング時のディスクと光学レンズの距離が近く、最外周付近のデータを再生する際に、この様な突出部に光学レンズ、もしくは光学レンズを保護する目的で光学レンズよりも突出して設けられている光学レンズ保護部材（レンズプロテクタ）がひっかかることにより、アクチュエータコイルを損傷してしまうという問題がある。
また、フォーカシング時に十分な距離が確保可能な光学設計となっているディスクと光学ピックアップとの組み合わせの場合でも、衝撃やディスク上の損傷、多層ディスクの層間移動の失敗などによりフォーカス制御がはずれた場合にも同様の可能性がある。
【０００４】
そこで本発明は、ピックアップに影響を及ぼさないディスクアダプタを提供することを目的とする。
【課題を解決するための手段】
【０００５】
請求項１記載の本発明のディスクアダプタは、スロットイン方式のディスク装置に用いるディスクアダプタであって、ディスクを配置する空間を形成するアダプタ本体と、前記ディスクを保持するディスク保持部と、前記ディスクを挟持する方向に前記ディスク保持部を付勢する弾性力付与部と、前記ディスクを離脱する方向に前記ディスク保持部を変位させる変位部とを備え、前記変位部が、前記ディスク装置に設けたレバーによって動作することを特徴とする。
請求項２記載の本発明は、請求項１に記載のディスクアダプタにおいて、前記変位部が前記ディスク装置内の所定の位置に到達したときに、前記レバーが前記変位部に作用することを特徴とする。
請求項３記載の本発明は、請求項１に記載のディスクアダプタにおいて、前記弾性力付与部としてばね材を用い、前記ばね材によって前記ディスク保持部を、前記ディスクの中心方向に付勢したことを特徴とする。
請求項４記載の本発明は、請求項１に記載のディスクアダプタにおいて、前記ディスク装置に設けたレバーが当接する面を、前記アダプタ本体の外周部に形成したことを特徴とする。
請求項５記載の本発明は、請求項１に記載のディスクアダプタにおいて、前記アダプタ本体としてリング部材を用い、前記ディスク保持部を、前記リング部材に固定される第１のディスク保持部と、前記リング部材に対して移動可能に設けられる第２のディスク保持部で構成し、前記レバーとして前記ディスク装置のフロント側に設けた第１のレバーと前記ディスク装置のリア側に設けた第２のレバーを備え、前記変位部を、前記第１のレバーに対応する第１の変位部と前記第２のレバーに対応する第２の変位部で構成し、前記第１の変位部を前記第１のディスク保持部に設け、前記第２の変位部を前記第２のディスク保持部に設け、前記第１のディスク保持部及び前記第２のディスク保持部には、前記ディスクの一方の面を支持する表面突起と前記ディスクの他方の面を支持する裏面突起とをそれぞれ設けたことを特徴とする。
請求項６記載の本発明は、請求項５に記載のディスクアダプタにおいて、前記リング部材を金属部材にて形成し、前記ディスク保持部を樹脂部材にて形成し、前記第１のディスク保持部と前記第２のディスク保持部とはヒンジ部によって一体に成型されたことを特徴とする。
求項７記載の本発明は、請求項６に記載のディスクアダプタにおいて、前記第１のディスク保持部及び前記第２のディスク保持部には、前記ディスクの外周面と当接する位置規制突起を設けたことを特徴とする。
請求項８記載の本発明のディスク装置は、請求項１から請求項７に記載のディスクアダプタを用いるディスク装置であって、前記変位部を動作させるレバーを設けたことを特徴とする。
【発明の効果】
【０００６】
本発明によれば、ピックアップに対するディスクアダプタの干渉を防ぐことができるとともに、ディスクの回転に対するディスクアダプタの影響を無くすことができる。
【発明を実施するための最良の形態】
【０００７】
本発明の第１の実施の形態によるディスクアダプタは、ディスクを配置する空間を形成するアダプタ本体と、ディスクを保持するディスク保持部と、ディスクを挟持する方向にディスク保持部を付勢する弾性力付与部と、ディスクを離脱する方向にディスク保持部を変位させる変位部とを備え、変位部が、ディスク装置に設けたレバーによって動作するものである。本実施の形態によれば、ディスクアダプタによってディスクをディスク装置内に導いた後には、ディスクをディスクアダプタから離脱させることができる。従って、ピックアップに対するディスクアダプタの干渉を防ぐことができるとともに、ディスクの回転に対するディスクアダプタの影響を無くすことができる。
本発明の第２の実施の形態は、第１の実施の形態によるディスクアダプタにおいて、変位部がディスク装置内の所定の位置に到達したときに、レバーが変位部に作用するものである。本実施の形態によれば、ディスクの引き込み動作中には、ディスクアダプタによってディスクを確実に保持できるとともに、引き込み動作終了後にディスクをディスクアダプタから離脱させることができる。
本発明の第３の実施の形態は、第１の実施の形態によるディスクアダプタにおいて、弾性力付与部としてばね材を用い、ばね材によってディスク保持部を、ディスクの中心方向に付勢したものである。本実施の形態によれば、ばね材によってディスクを確実に挟持することができる。
本発明の第４の実施の形態は、第１の実施の形態によるディスクアダプタにおいて、ディスク装置に設けたレバーが当接する面を、アダプタ本体の外周部に形成したものである。本実施の形態によれば、ディスクアダプタを大径のディスクと同様に扱うことができ、既存のディスク装置のレバー動作をそのまま利用することができる。
本発明の第５の実施の形態は、第１の実施の形態によるディスクアダプタにおいて、アダプタ本体としてリング部材を用い、ディスク保持部を、リング部材に固定される第１のディスク保持部と、リング部材に対して移動可能に設けられる第２のディスク保持部で構成し、レバーとしてディスク装置のフロント側に設けた第１のレバーとディスク装置のリア側に設けた第２のレバーを備え、変位部を、第１のレバーに対応する第１の変位部と第２のレバーに対応する第２の変位部で構成し、第１の変位部を第１のディスク保持部に設け、第２の変位部を第２のディスク保持部に設け、第１のディスク保持部及び第２のディスク保持部には、ディスクの一方の面を支持する表面突起とディスクの他方の面を支持する裏面突起とをそれぞれ設けたものである。本実施の形態によれば、ディスク装置内に備えた２つのレバーの動作を利用してディスクアダプタからディスクを離脱させることができる。
本発明の第６の実施の形態は、第５の実施の形態によるディスクアダプタにおいて、リング部材を金属部材にて形成し、ディスク保持部を樹脂部材にて形成し、第１のディスク保持部と第２のディスク保持部とはヒンジ部によって一体に成型されたものである。本実施の形態によれば、リング部材によってディスクアダプタの変形を防止することができるとともに、第１のディスク保持部と第２のディスク保持部とはヒンジ部によって一体に成型することで、ディスクに対する位置決めを容易に行うことができる。
本発明の第７の実施の形態は、第６の実施の形態によるディスクアダプタにおいて、第１のディスク保持部及び第２のディスク保持部には、ディスクの外周面と当接する位置規制突起を設けたものである。本実施の形態によれば、これらの位置規制突起によってディスクを所定の位置に保持することができる。
本発明の第８の実施の形態によるディスク装置は、変位部を動作させるレバーを設けたものである。本実施の形態によれば、レバーによって変位部を動作させるため、ディスクアダプタの位置によってディスクの離脱を行うことができる。
【実施例１】
【０００８】
以下本発明の一実施例によるディスク装置及びディスクアダプタについて説明する。
図１は本実施例によるディスクアダプタをディスク装置に装着した状態を示す斜視図、図２は同ディスクアダプタがディスクを保持した状態を示す表面側斜視図、図３は同状態を示す裏面側斜視図、図４は同ディスクアダプタがディスクを離脱した状態を示す表面側斜視図、図５は同状態を示す裏面側斜視図、図６から図１０はディスクアダプタをディスク装置に挿入し、チャッキング動作終了までの動作過程を示す平面図である。
【０００９】
図１は、本実施例のディスクアダプタ１０がディスク装置２０に挿入された状態を示している。
本実施例によるディスク装置２０は、ベース本体と蓋体とからシャーシ外装が構成され、このシャーシ外装のフロント面にベゼルが装着される。また本実施例によるディスク装置２０は、ベゼルに設けたディスク挿入口からディスクを直接挿入するスロットイン方式のディスク装置である。ディスクへの記録再生機能やディスクのローディング機能を行う各部品は、ベース本体に装着される。
ベース本体のフロント側にはディスクを直接挿入するディスク挿入口２１を形成し、ベース本体のディスク挿入口２１側にはトラバース２２が配置されている。
図２から図５に示すように、本実施例のディスクアダプタ１０は、ディスクＡを配置する空間１１を形成するアダプタ本体１２と、ディスクＡを保持するディスク保持部１３と、ディスクＡを挟持する方向にディスク保持部１３を付勢する弾性力付与部１４と、ディスクＡを離脱する方向にディスク保持部１３を変位させる変位部１５とを備えている。
【００１０】
アダプタ本体１２は、金属部材にて形成されたリング部材によって構成されている。ディスク保持部１３は、樹脂部材にて形成され、アダプタ本体１２に固定される第１のディスク保持部１３Ａと、アダプタ本体１２に対して移動可能に設けられる第２のディスク保持部１３Ｂで構成されている。第１のディスク保持部１３Ａと第２のディスク保持部１３Ｂとはヒンジ部１３Ｃによって一体に成型されている。変位部１５は、第１のレバーに係合する第１の変位部１５Ａと第２のレバーに係合する第２の変位部１５Ｂで構成されている。第１の変位部１５Ａは第１のディスク保持部１３Ａに設けられ、第２の変位部１５Ｂは第２のディスク保持部１３Ｂに設けられている。第１のディスク保持部１３Ａの内周面には、ディスクＡの一方の面を支持する二つの表面突起１６Ｃと、ディスクＡの他方の面を支持する二つの裏面突起１６Ｄと、ディスクＡの外周面と当接する三つの位置規制突起１６Ｅを設けている。第１のディスク保持部１３Ａにおいては、二つの表面突起１６Ｃの間に二つの裏面突起１６Ｄが配置され、二つの裏面突起１６Ｄの間に一つの位置規制突起１６Ｅが配置され、二つの表面突起１６Ｃの両外側に二つの位置規制突起１６Ｅが配置されている。また、第２のディスク保持部１３Ｂの内周面には、ディスクＡの一方の面を支持する一つの表面突起１６Ｃと、ディスクＡの他方の面を支持する二つの裏面突起１６Ｄと、ディスクＡの外周面と当接する二つの位置規制突起１６Ｅを設けている。第１のディスク保持部１３Ａにおいては、表面突起１６Ｃの両側に位置規制突起１６Ｅが配置され、二つの位置規制突起１６Ｅは二つの裏面突起１６Ｄの間に配置されている。
【００１１】
空間１１は、ディスク保持部１３の内周面によって形成され、対象となるディスクＡの外形寸法よりも大きな寸法である。
第２のディスク保持部１３Ｂは、弾性力付与部１４によってディスクＡを挟持する方向に付勢されている。
アダプタ本体１２の外周部、すなわち第１のディスク保持部１３Ａと第２のディスク保持部１３Ｂとが当接離間するディスク保持部１３の外周面には第１の当接面１７Ａが形成され、第２のディスク保持部１３Ｂのリア面側の外周面には第２の当接面１７Ｂと第３の当接面１７Ｃとが形成され、ヒンジ部１３Ｃ近傍のディスク保持部１３の外周面には第４の当接面１７Ｄが形成され、第１のディスク保持部１３Ａの外周面には第５の当接面１７Ｅが形成されている。第１の当接面１７Ａ、第２の当接面１７Ｂ、第３の当接面１７Ｃ、及び第４の当接面１７Ｄは、大径のディスク外径と同一径の円弧形状で形成されている。第５の当接面１７Ｅは、第１の当接面１７Ａと対向する位置に直線状に形成している。
【００１２】
本実施例のディスクアダプタ１０は、上記構成によって、第１の変位部１５Ａと第２の変位部１５Ｂとを引き離す方向に引っ張った場合には、ヒンジ部１３Ｃを支点として、第２のディスク保持部１３Ｂがアダプタ本体１２に対して変位して、図４及び図５に示すように、第１のディスク保持部１３Ａと第２のディスク保持部１３Ｂとの端部が離間する。また、第１の変位部１５Ａと第２の変位部１５Ｂとを引き離す荷重を除去すれば、図２及び図３に示すように、弾性力付与部１４の弾性力によって第１のディスク保持部１３Ａと第２のディスク保持部１３Ｂとの端部が当接する。
【００１３】
次に、図６を用いて本実施例のディスク装置２０の構成について説明する。
トラバース２２は、スピンドルモータ２３とピックアップ２４とピックアップ２４を移動させる駆動手段とを保持している。スピンドルモータ２３はトラバース２２の一端側に設けられ、ピックアップ２４はトラバース２２の一端側から他端側までを移動可能に設けている。またピックアップ２４は停止時にはトラバース２２の他端側に配置される。
スピンドルモータ２３は、ベース本体の中央部に位置し、またピックアップ２４の往復動範囲は、スピンドルモータ２３よりもディスク挿入口２１側に配設されている。
インシュレータ２５は、スピンドルモータ２３の位置よりもピックアップ２４の静止位置側に配設し、ピックアップ２４の静止位置よりもディスク挿入口２１側の位置に配設している。インシュレータ２５は、弾性材料からなるダンパー機構を備え、トラバース２２がベース本体から離間する方向に変位することができる。
【００１４】
ベース本体のディスク挿入口２１近傍の一端側には、所定長さの第１のディスクガイド２６が設けられている。この第１のディスクガイド２６は、ディスク挿入側から見た断面が、「コ」の字状の溝を有している。この溝によってディスクは支持される。
一方、ディスク挿入口２１の他端側のベース本体内には、引き込みレバー２７が設けられ、この引き込みレバー２７の可動側端部に第２のディスクガイド２７Ａを備えている。第２のディスクガイド２７Ａは、円筒状のローラで構成され、引き込みレバー２７の可動側端部に回動自在に設けられている。また、第２のディスクガイド２７Ａのローラ外周には溝が形成され、この溝によってディスクは支持される。
引き込みレバー２７Ａは、可動側端部が固定側端部よりもディスク挿入口２１側で動作するように配置され、固定側端部に回動支点２７Ｂを有している。
また、引き込みレバー２７の裏面（ベース本体側の面）の可動側端部と固定側端部との間には長溝２７Ｃが設けられている。
【００１５】
引き込みレバー２７は、サブレバー２８によって動作する。
サブレバー２８は、可動側の一端に凸部２８Ａを備え、他端側に回動支点２８Ｂを備えている。サブレバー２８の凸部２８Ａは、引き込みレバー２７の長溝２７Ｃ内を摺動する。また、サブレバー２８の回動支点２８Ｂは、メインスライダー４０上に位置している。なお、回動支点２８Ｂは、メインスライダー４０とは連動せず、ベース本体にベース部材４２を介して固定されている。またサブレバー２８の回動支点２８Ｂよりも凸部２８Ａ側の下面には、ピン２８Ｃを備えている。このピン２８Ｃは、メインスライダー４０の上面に設けられたカム溝内を摺動する。従って、サブレバー２８は、メインスライダー４０の移動にともなって角度が変更され、このサブレバー２８の角度の変更によって引き込みレバー２７の旋回角度を変更する。すなわち、サブレバー２８の動作によって、引き込みレバー２７の第２のディスクガイド２７Ａがスピンドルモータ２３に近接離間するように動作する。
【００１６】
ベース本体の引き込みレバー２７と異なる側部には、排出レバー２９が設けられている。この排出レバー２９の一端側の可動側端部にはガイド２９Ａが設けられている。また、排出レバー２９の他端側には、回動支点２９Ｂが設けられている。また、排出レバー２９の可動側端部には、ガイド２９Ａよりもリア面側に当接部２９Ｃが設けられている。また、排出レバー２９には、弾性体２９Ｄが設けられている。この弾性体２９Ｄの一端は排出レバー２９に固定されており、他端はリアベースに固定されている。当接部２９Ｃは、弾性体２９Ｄによってリア面側に引き込まれた場合に、リアベースの当接部２９Ｅと当接する。また排出レバー２９は、弾性体２９Ｄの弾性力によってディスク挿入口２１側に引き出される。なお、排出レバー２９は、リンクアーム１０５と排出スライダー１０６を介してメインスライダー４０の動きと連動する。ここでリンクアーム１０５は、メインスライダー４０と排出スライダー１０６とを連接し、排出レバー２９はカムピンによって排出スライダー１０６のカム溝と係合している。
【００１７】
ベース本体のリア面側には規制レバー３０が設けられている。この規制レバー３０はリア面側端部を回動支点３０Ａとし、可動側端部にガイド３０Ｂを備えている。この規制レバー３０は、弾性体３０Ｃによってガイド３０Ｂ側が常にフロント側に突出するように付勢されている。また、この規制レバー３０は所定位置でリミットスイッチを動作させる。すなわち、大径ディスク又はディスクアダプタ１０が所定位置まで挿入されると、リミットスイッチがオフし、ローディングモータ６０を駆動する。このローディングモータ６０の駆動によって、メインスライダー４０が摺動する。
また、排出レバー２９と同じ側のベース本体の側部には、ガイドレバー１８０が設けられている。ガイドレバー１８０は、リア面側を回動支点１８１とし、可動側にガイド１８２を備えている。このガイドレバー１８０は、弾性体１８３によってガイド１８２側がディスクアダプタ側に突出するように付勢されている。また、このガイドレバー１８０は、リンクアーム１０５と排出スライダー１０６を介してメインスライダー４０と連動し、このメインスライダー４０の動きに応じて、ガイド１８２側がディスクから離間するように動作する。
【００１８】
以下に、このトラバース２２を動作させるカム機構を備えたメインスライダー４０とサブスライダー５０について説明する。
トラバース２２を変位させるカム機構は、メインスライダー４０とサブスライダー５０にそれぞれ設けている。ここで、メインスライダー４０とサブスライダー５０とは、スピンドルモータ２３の側方に位置するように配設されている。メインスライダー４０は、その一端がシャーシ本体のフロント面側、その他端がシャーシ本体のリア面側となる方向に配設されている。また、サブスライダー５０は、トラバース２２のリア面側に、メインスライダー４０と直交する方向に配設されている。
トラバース２２を変位させるカム機構は、第１のカム機構４１と第２のカム機構５１によって構成される。第１のカム機構４１は、メインスライダー４０のスピンドルモータ３１側の面に、第２のカム機構５１は、サブスライダー５０のスピンドルモータ３１側の面にそれぞれ設けられている。
なお、メインスライダー４０とトラバース２２との間にはベース部材４２が設けられ、サブスライダー５０とトラバース２２との間にはベース部材５２が設けられている。ここでベース部材４２とベース部材５２はベース本体に固定され、ベース部材４２に設けた縦溝によってトラバース２２のカムピン３６を位置規制し、ベース部材１６に設けた縦溝によってトラバース２２のカムピン３７を位置規制している。
ここで、ベース部材５２とサブスライダー５０とは、第３のカム機構（図１では図示せず）によって連結している。そしてこの第３のカム機構は、第２のカム機構５１によってトラバース２２をベース本体に対して離間する方向に移動させる時に、サブスライダー５０をベース本体に対して離間する方向に移動させる機能を備えている。
【００１９】
メインスライダー４０の一端側にはローディングモータ６０が配設されている。ローディングモータ６０の駆動軸６１とメインスライダー４０の一端側とは歯車機構を介して連結されている。なお、ローディングモータ６０の駆動軸６１には歯車機構を構成するウオームギア６２が設けられている。
ローディングモータ６０は、その本体がディスク挿入口１１の中央部に、駆動軸６１がディスク挿入口１１の端部側に、それぞれが位置するように配設されている。
このローディングモータ６０の駆動によってメインスライダー４０を長手方向に摺動させることができる。またメインスライダー４０は、カムレバー７０によってサブスライダー５０と連結している。
カムレバー７０は回動支点７１を有し、ピン７２及びピン７３でメインスライダー４０の上面に設けたカム溝と係合し、ピン７４でサブスライダー５０の上面に設けたカム溝と係合している。
このカムレバー７０は、メインスライダー４０の第１のカム機構４１によってトラバース２２を変位させるタイミングで、サブスライダー５０を移動させ、サブスライダー５０の移動によって第２のカム機構５１を動作させてトラバース２２を変位させる機能を有する。
【００２０】
以下に、図６から図１０を用いてディスクアダプタの挿入時における各部材の動きについて説明する。
図６はディスクアダプタの挿入時の初期段階を示すディスク装置のベース本体の平面図である。
なお、ディスクアダプタ１０が挿入されていない状態での引き込みレバー２７は、スピンドルモータ２３側に所定角度回動した状態で待機している。この状態では、サブレバー２８の凸部２８Ａは、長溝２７Ｃの可動側端部に位置する。また、ガイド２６と第２のディスクガイド２７Ａとの間隔は、ディスクアダプタ１０の直径より狭くなっている。
ディスクアダプタ１０挿入時の初期段階においては、ディスクアダプタ１０は、まず第４の当接面１７Ｄがガイド２６に当接し、第１の当接面１７Ａが第２のディスクガイド２７Ａに当接し、ガイド２６と第２のディスクガイド２７Ａによって支持され位置規制される。
ディスクアダプタ１０を更に押し込むと、この挿入動作にともなって第２のディスクガイド２７Ａは、第１の当接面１７Ａに沿ってスピンドルモータ２３から離れる方向に旋回動作する。この第２のディスクガイド２７Ａの旋回動作にともない、サブレバー２８の凸部２８Ａは長溝２７Ｃ内を固定側端部に向かって摺動する。従ってサブレバー２８も回動支点２８Ｂを中心に旋回動作する。ディスクアダプタ１０の挿入動作を更に続けると、ディスクアダプタ１０の第３の当接面１７Ｃは排出レバー２９のガイド２９Ａに当接する。図６はこの状態を図示している。
なお図６に示す状態では、ローディングモータ６０は動作せず、従って、メインスライダー４０やサブレバー５０も動作しない。
【００２１】
図７はディスク挿入途中段階を示すディスク装置のベース本体の平面図である。
図６に示す状態から更にディスクアダプタ１０を挿入すると、ディスクアダプタ１０の第５の当接面１７Ｅがガイド２６に支持される。引き込みレバー２７はスピンドルモータ２３から最も離間した状態となる。この状態では、サブレバー２８の凸部２８Ａは、長溝２７Ｃの固定側端部に位置する。一方、排出レバー２９は、ディスクアダプタ１０の第３の当接面１７Ｃによってガイド２９Ａが押されるため、ディスクアダプタ１０の挿入動作とともに回動を続ける。
【００２２】
図７の状態から更にディスクアダプタ１０を押し込むと、この挿入動作にともなって第２のディスクガイド２７Ａは、今度はスピンドルモータ２３に近接する方向に第１の当接面１７Ａに沿って移動する。この第２のディスクガイド２７Ａの旋回動作にともない、サブレバー２８の凸部２８Ａは長溝２７Ｃ内を固定側端部から可動側端部に向かって摺動する。従ってサブレバー２８も回動支点２８Ｂを中心に旋回動作する。
一方、上記の動作過程において、ディスクアダプタ１０の第２の当接面１７Ｂは規制レバー３０のガイド３０Ｂに当接し、規制レバー３０が回動動作を行う。
第２のディスクガイド２７Ａがスピンドルモータ２３に近接する方向に所定角度回動した時、ディスクアダプタ１０の第２の当接面１７Ｂによって規制レバー３０も所定角度回動する。そして、規制レバー３０が所定角度回動することで、リミットスイッチが動作し、ローディングモータ６０の駆動が開始される。なお、ガイドレバー１８０のガイド１８２はディスクアダプタ１０側に突出した状態にあり、ディスクアダプタ１０は、このガイド１８２によっても支持されて摺動する。
このローディングモータ６０の駆動によって、メインスライダー４０はリア面側に摺動を開始する。そしてメインスライダー４０の動作によって、サブレバー２８のピン２８Ｃが、対応するメインスライダー４０に設けられたカム溝に沿って移動する。このとき、ピン２８Ｃは、対応するカム溝によってスピンドルモータ２３側に移動する。このピン２８Ｃの移動によってサブレバー２８は、引き込みレバー２７をその可動側端部がスピンドルモータ２３側に旋回移動する方向に付勢する。従って、引き込みレバー２７はディスクアダプタ１０を挿入方向に付勢する。この引き込みレバー２７の付勢力によって、ディスクアダプタ１０は人為的な操作を離れ更に押し込まれる。
【００２３】
図８はディスクアダプタの挿入完了段階を示すディスク装置のベース本体の平面図である。
ディスクアダプタ１０は、第２のディスクガイド２７Ａ、ガイドレバー１８０のガイド１８２、及び規制レバー３０のガイド３０Ｂの３点で支持され、ディスクＡの中心孔がスピンドルモータ２３と対応する位置に規制される。この状態で、規制レバー３０のガイド３０Ｂは、第２の変位部１５Ｂに係合している。
一方、ローディングモータ６０は駆動し続け、メインスライダー４０も摺動動作を継続している。
図８に示す状態から所定時間、メインスライダー４０は移動するが、サブレバー２８のピン２８Ｃに対応するカム溝が移動方向と平行に形成されているため、サブレバー２８は動作しない。この状態では、サブレバー２８の凸部２８Ａは溝２７Ｃに位置している。なお、引き込みレバー２７も動作せず、ディスクアダプタ１０を支持した状態を継続している。
一方、カムレバー７０についても、図８に示す状態からの所定時間は、依然として動作しない。すなわちカムレバー７０のピン７２、７３に対応するカム溝が、メインスライダー４０の移動方向と平行に形成されている。
【００２４】
図９は、図８に示す状態から、上記所定時間経過した段階を示すディスク装置のベース本体の平面図である。
図９に示す状態から、トラバース２２の動作が開始し、チャッキング動作が行われる。すなわちトラバース２２は、スピンドルモータ２３側が蓋体に近接する方向に動作を開始する。
図１０は、チャッキング動作終了段階を示すディスク装置のベース本体の平面図である。  図９から図１０に示すチャッキング動作の段階で、規制レバー３０は更に回動してガイド３０Ｂはリア面側に移動する。この動作によって第２の変位部１５Ｂはリア面側に引っ張られる。一方、第２のディスクガイド２７Ａは、第１の当接面１７Ａから離間する方向に動作するが、この動作によって第２のディスクガイド２７Ａは、第１の変位部１５Ａと当接する。
このように、第１の変位部１５Ａが第２のディスクガイド２７Ａによって負荷が加わり、第２の変位部１５Ｂがガイド３０Ｂによって負荷が加わることで、ディスクアダプタ１０は、ヒンジ部１３Ｃを支点として、第２のディスク保持部１３Ｂがアダプタ本体１２に対して変位し、図１０に示すように、第１のディスク保持部１３Ａと第２のディスク保持部１３Ｂとの端部が離間する。そして、第１のディスク保持部１３Ａと第２のディスク保持部１３Ｂとの端部が離間することで、ディスクＡは、ディスクアダプタ１０から離脱する。このように、チャッキング動作時に、ディスクＡをディスクアダプタ１０から離脱することで、ディスクＡのチャッキングを確実に行わせることができるとともに、チャッキング動作後においては、ディスクアダプタ１０はディスク装置内において待機状態を維持する。
その後、ディスクＡの再生や記録動作を行うが、ディスクＡは、ディスクアダプタ１０から離脱した状態で回転する。
【００２５】
以上のように、本実施例によれば、ディスクアダプタ１０によってディスクＡをディスク装置２０内に導いた後には、ディスクＡをディスクアダプタ１０から離脱させることができるので、ピックアップ２４に対するディスクアダプタ１０の干渉を防ぐことができるとともに、ディスクＡの回転に対するディスクアダプタ１０の影響、すなわちディスクＡの回転時の偏心を無くすことができる。
なお、図１０に示すように、裏面突起１６Ｄの配設位置を、ピックアップ２４の移動範囲内から外すことで、ピックアップ２４がディスクアダプタ１０に干渉することもない。
【産業上の利用可能性】
【００２６】
本発明のディスク及びディスクアダプタは、特にスリムスロットタイプやハーフハイトドライブの垂直姿勢など、従来では再生不可能であったディスク装置において、８センチディスク及びその再生のためのディスクアダプタとして利用できる。
【図面の簡単な説明】
【００２７】
【図１】本実施例によるディスクアダプタをディスク装置に装着した状態を示す斜視図
【図２】同ディスクアダプタがディスクを保持した状態を示す表面側斜視図
【図３】同状態を示す裏面側斜視図
【図４】同ディスクアダプタがディスクを離脱した状態を示す表面側斜視図
【図５】同状態を示す裏面側斜視図
【図６】ディスクアダプタの挿入時の初期段階を示すディスク装置のベース本体の平面図
【図７】ディスク挿入途中段階を示すディスク装置のベース本体の平面図
【図８】ディスクアダプタの挿入完了段階を示すディスク装置のベース本体の平面図
【図９】図８に示す状態から、上記所定時間経過した段階を示すディスク装置のベース本体の平面図
【図１０】チャッキング動作終了段階を示すディスク装置のベース本体の平面図
【図１１】従来のディスクアダプタの平面図
【図１２】同ディスクアダプタの要部拡大平面図
【図１３】図１２のＸ−Ｘ線断面図
【符号の説明】
【００２８】
１０  ディスクアダプタ
１１  空間
１２  アダプタ本体
１３  ディスク保持部
１４  弾性力付与部
１５  変位部
１６  開口部
１７  第１の当接面
１８  第２の当接面
１９  第３の当接面
２０  ディスク装置
２１  ディスク挿入口
２４  ピックアップ
【図１１】
2008047182.tif 000003
【図１２】
2008047182.tif 000004
【図１３】
2008047182.tif 000005
【図１】
2008047182.tif 000006
【図２】
2008047182.tif 000007
【図３】
2008047182.tif 000008
【図４】
2008047182.tif 000009
【図５】
2008047182.tif 000010
【図６】
2008047182.tif 000011
【図７】
2008047182.tif 000012
【図８】
2008047182.tif 000013
【図９】
2008047182.tif 000014
【図１０】
2008047182.tif 000015